(57)【特許請求の範囲】
【請求項１】
屋根を構成する野地板の上に、軒先及び隅棟に沿ってヌキ材を又残余の部分に断熱ボードを夫々設置して屋根の全面を被覆するとゝもに、前記ヌキ材及び断熱ボードの上に屋根材を葺設してなる屋根構造であって、前記断熱ボードは、断熱ボード本体とその上面を被覆した熱反射特性及び非透水特性を有する材料で形成したシートとから構成され、該断熱ボード本体とシートとの間に前記断熱ボードの上下両端面側にそれぞれ開口部を有する複数条の連通孔を備えるとゝもに、前記断熱ボードの上下両端面に一対の合じゃくり部を設けた構造のものであり、該一対の合じゃくり部を重ね合わせ、前記連通孔の上下の開口部をそれぞれ合致させて前記断熱ボードを屋根の上下方向に接合する構成としたことを特徴とする屋根構造。
【請求項２】
前記断熱ボードが、左右両側端側に配設した複数枚の断熱ボード本体を前記シートの延長部からなる連結シート部を介して連結され、該連結シート部を屈曲させることにより折り畳み且つ展開可能な構成としたことを特徴とする請求項１記載の屋根構造。
【請求項３】
軒先に沿って設置した前記ヌキ材の上面及び下端面を覆う状態で唐草を設置したことを特徴とする請求項１又は２記載の屋根構造。
【請求項４】
隅棟に沿って設置した前記ヌキ材の上面及び外側面と、前記屋根材の側端部に形成した起立部を覆う状態でケラバ包みを設置したことを特徴とする請求項１〜３のうちいずれか一つに記載の屋根構造。
【発明の詳細な説明】
【０００１】
【発明の属する技術分野】
本発明は屋根構造に関し、更に詳しくは、屋根を構成する野地板の上に特異構造の断熱ボードを介して屋根材を葺設するようにした屋根構造に関する。
【０００２】
【従来の技術】
従来の屋根構造は、図１に示すように、垂木１の上に野地板２を張設し、その上に軒先及び隅棟に沿ってヌキ材３及び４をそれぞれ設置するとゝもに、軒先には唐草５を、隅棟には前記ヌキ材４の上に設置した下地木材６をそれぞれ設置する。そして、これらの各部材３〜６の上にルーフィング７を張設して屋根全体を覆った後、該ルーフィング７の上に屋根材８を葺設する。そして最後に、隅棟に前記下地木材６を抱持する状態でケラバ包み９を設置してなる構造である。
【０００３】
【発明が解決しようとする課題】
上記のように、従来の屋根構造は、野地板２，防水用のルーフィング７及び屋根材８だけで構成されているため、遮熱性及び防音性の点において満足できるものではなかった。特に、真夏日にあっては屋根材８の表面温度が８０°Ｃを越える場合があり、この日射熱により屋根材８の下に設置した野地板２が温められて蓄熱し、該野地板２に蓄積された熱が伝導，輻射によって屋根裏から室内に伝わってしまうといった問題点があった。
【０００４】
このような問題点を解決する手段として、前記野地板２と屋根材８との間に断熱ボードを設置し、太陽光による輻射熱を前記断熱ボードにより遮断してその下部にある前記野地板２への熱伝導を阻止することも考えられる。しかし、前記断熱ボードにより遮断された輻射熱は屋根の外への逃げ道がないため、断熱ボードはこの輻射熱により温められて次第に蓄熱することになり、この断熱ボードに蓄積された熱が伝導，輻射等によって屋根裏から室内に伝わってしまう。
【０００５】
本発明は、上記のような従来の問題点を解決するために成されたもので、屋根材と野地板との間に特異構造とした断熱ボードを設置することにより、太陽光による輻射熱を可及的に遮断することができるとゝもにこの輻射熱を屋根の外に放出することにより、断熱ボードに輻射熱が蓄積されない屋根構造を提供することを目的としたものである。
【０００６】
【課題を解決するための手段】
上記の目的を達成するために、本願の第１発明に係る屋根構造は、屋根を構成する野地板の上に、軒先及び隅棟に沿ってヌキ材を又残余の部分に断熱ボードを夫々設置して屋根の全面を被覆するとゝもに、前記ヌキ材及び断熱ボードの上に屋根材を葺設してなる屋根構造であって、前記断熱ボードは、断熱ボード本体とその上面を被覆した熱反射特性及び非透水特性を有する材料で形成したシートとから構成され、該断熱ボード本体とシートとの間に前記断熱ボードの上下両端面側にそれぞれ開口部を有する複数条の連通孔を備えるとゝもに、前記断熱ボードの上下両端面に一対の合じゃくり部を設けた構造のものであり、該一対の合じゃくり部を重ね合わせ、前記連通孔の上下の開口部をそれぞれ合致させて前記断熱ボードを屋根の上下方向に接合する構成とした。
【０００７】
上記の構成とすることにより、太陽光による輻射熱は前記断熱ボードにより遮断されてその下部への熱伝導が阻止されるとゝもに、断熱ボードに形成した連通孔内の下端開口部から上端開口部へ抜ける空気の対流によって前記輻射熱が屋根の外に排出される。したがって、断熱ボードに太陽光による輻射熱が蓄積されることもなく、屋根内部の高温化が防止される。
【０００８】
また、前記断熱ボードは、その上面を覆っているシートが熱反射特性及び非透水特性を有する材料で形成されている構成とすることにより、太陽光による輻射熱はこのシートで反射され、断熱ボードへの蓄熱の防止と防水のためのルーフィングの張設を省略することができる。
【０００９】
そして又、前記断熱ボードの上下両端面に一対の合じゃくり部を設け、該合じゃくり部を重ね合わせることによって前記断熱ボードを屋根の上下方向に接合する構成とした。このような構成とすることにより、断熱ボードの上下方向（軒先から棟の方向）への接合作業が容易であるとゝもに、各断熱ボード間の接合部における連通孔の連通と接合部における断熱効果を確実に確保することができる。
【００１０】
また、本願の第２発明に係る屋根構造は、上記のうよに、前記断熱ボードが、左右両側端側に配設した複数枚の断熱ボード単体を前記シートの延長部からなる連結シート部を介して連結され、該連結シート部を屈曲させることにより折り畳み且つ展開可能な構成とした。これにより、運搬或いは収納時には小さく折り畳み、施工時にはこれを展開することにより設置することができ、搬送及び施工作業の容易化が図られる。
【００１１】
そして更に、本願の第３発明に係る屋根構造は、軒先に沿って設置した前記ヌキ材の上面および下端面を覆う状態で唐草を設置し、又本願の第４発明にあっては、隅棟に沿って設置した前記ヌキ材の上面及び外側面と、前記屋根材の側端部に形成した起立部を覆う状態でケラバ包みを設置した構成とした。これにより、屋根の良好な雨仕舞いと、すっきりとした外観に仕上げることができる。
【００１２】
【発明の実施の形態】
以下、本発明を図面に示す実施形態を参照して詳細に説明する。なお、本願発明の特徴は、上記のように、断熱ボードの構造とその設置構造にあるので、前記従来と同一部材は同一の符号を付してその詳細な説明を省略し、以下では断熱ボードの構造とその設置構造について詳細に説明する。
【００１３】
図において、１は垂木、２はこの垂木１の上に設置した野地板、３及び４は前記野地板２の上面にあって軒先及び隅棟に沿ってそれぞれ設置したヌキ材、５は軒先に設置した唐草、６は隅棟に沿って前記ヌキ材４上に設置した下地木材、７はこれらの各部材３〜６の上に張設した防水用のルーフィング、８は屋根材、９は隅棟に設置したケラバ包みである。
【００１４】
１３は前記野地板２とルーフィング７との間に配設した断熱ボードで、前記野地板２のヌキ材３，４で覆われていない残余の部分に設置されている。この断熱ボード１３は、発泡ポリスチレンや硬質ウレタンなどで形成した縦長方形状の断熱ボード本体１４と、その上面を被覆したアルミ箔或いはポリスチレンフィルム等のシート１５とから構成されており、前記断熱ボード本体１４とシート１５との間には上下方向に延びる複数本の連通孔１６が後述する手段により等間隔で且つ並列状態で形成されている。
【００１５】
すなわち、前記連通孔１６は、前記断熱ボード本体１４の上面に形成した上下方向に延びる凹条溝１７と、断熱ボード本体１４の上面を被覆した前記シート１５とで形成されており、前記断熱ボード１３の上部端面１３Ａ側には前記連通孔１６の上部開口部１６Ａが、下部端面１３Ｂ側には同じく前記連通孔１６の下部開口部１６Ｂがそれぞれ開口している。
【００１６】
また前記断熱ボード１３には、その上部端面１３Ａ側に上部合じゃくり部１８Ａが、下部端面１３Ｂ側に下部合じゃくり部１８Ｂがそれぞれ形成されており、前記上部合じゃくり部１８Ａは前記断熱ボード１３の上面側に段部を、又下部合じゃくり部１８Ｂは前記断熱ボード１３の下面側に段部をそれぞれ備えた構成としたものである。
【００１７】
１５Ａは前記断熱ボード本体１４，１４を側端面側において連結した連結シート部で、該連結シート部１５Ａは断熱ボード本体１４，１４同士を前記シート１５の延長部で構成されている。そして、前記連結シート部１５Ａを屈曲させることにより断熱ボード１３を折り畳み可能とし、且つ展開可能となるように形成したものである。
【００１８】
つぎに、上記各構成部材により屋根を構築する手順について以下詳細に説明する。まず、垂木１に設置した野地板２の上に、屋根の軒先と隅棟に沿ってヌキ材３と４をそれぞれ配置するとゝもに、各ヌキ材３，４を前記垂木１或いは野地板２などに釘で打ち付けて固定する。
【００１９】
次いで、断熱ボード１３をアコーディオン状に折り畳んだ状態で屋根の上に搬送し、連結シート部１５Ａを介して展開する。その後、これを野地板２が露出している残余部分の軒先側に該軒先に沿って配置する。詳述すると、断熱ボード１３の下部端面１３Ｂを屋根の軒先に沿って固定した前記ヌキ材３の上端面と当接せしめ、該断熱ボード１３の位置決めをしながら配置する。そして、これを垂木１或いは野地板２に釘などで打ち付けて固定する。このとき、断熱ボード１３の下部端面１３Ｂ側に開口する前記連通孔１６の下部開口部１６Ｂが前記ヌキ材２の上端面で閉塞されないように、前記ヌキ材２の高さが前記断熱ボード１３の高さより低くなるように形成されている。
【００２０】
そして、屋根の軒先に沿って固定した最下段の断熱ボード１３の上に第二段の断熱ボード１３を配置し、下段に設置した断熱ボード１３の上部合じゃくり部１８Ａと上段に設置する断熱ボード１３の下部合じゃくり部１８Ｂとを互いに重ね合わせ、連通孔１６の上部開口部１６Ａと下部開口部１６Ｂとを合致させた後、上段の断熱ボード１３を垂木１或いは野地板２に釘で打ち付けて固定する。これにより、屋根の全面が各ヌキ材３，４と複数の断熱ボード１３とにより完全に被覆される。
【００２１】
その後、唐草５を軒先のヌキ材３に釘で打ち付けて固定するとゝもに、隅棟に沿って設置した前記ヌキ材４の上に下地木材６を配設してこれをヌキ材４に釘で打ち付けて固定する。そして、前記唐草５，下地木材６及び断熱ボード１３の上面にルーフィング７を敷設する。この場合、前記断熱ボード１３の上面に設置したシート１５が非透水特性を有する材料で形成したものにあっては、前記ルーフィング７の敷設を省略することができる。
【００２２】
最後に、前記ルーフィング７の上に屋根材８を葺設した後、該屋根材８の隅棟側に形成した起立部８Ａ及び前記下地木材６をケラバ包み９で覆い隠し、該ケラバ包み９を前記下地木材６やヌキ材４に釘で打ち付けて固定する。これにより、屋根の構築作業が完了する。
【００２３】
このような本実施形態の屋根構造によれば、太陽光による輻射熱は前記断熱ボード１３により遮断され、その下部にある野地板２への熱伝導が阻止されるとゝもに、断熱ボード１３に形成した連通孔１６内を、軒先側に設置した最下段の断熱ボード１３の下部開口部１６Ｂから最上段の上部開口部１６Ａへ抜ける空気の対流によって、前記輻射熱が屋根の外に排出される。したがって、断熱ボード１３に太陽光による輻射熱が蓄積されることもなく、屋根の内部、ひいては室内のの高温化が防止される。
【００２４】
【発明の効果】
本発明に係る屋根構造は上記のような構成であるから、太陽光による輻射熱の大部分が断熱ボードにより遮断されるとゝもに、遮断されたこの輻射熱は前記断熱ボードに形成した連通孔内を通る空気の対流によって外部に放出されるため、輻射熱が断熱ボードに蓄積されることがない。したがって、前記断熱ボードの下部に設置した野地板に輻射熱が伝達されることがなく、室内の温度が外部環境に左右されることがないとゝもに、雨音も遮断される、といった諸効果がある。
【図面の簡単な説明】
【図１】  本発明に係る屋根構造の分解斜視図である。
【図２】  同屋根構造の一部断面斜視図である。
【図３】  図２の縦断面部分図である。
【図４】  図２の横断面部分図である。
【図５】  断熱ボードの接続部分を示す一部省略拡大断面部分図である。
【図６】  断熱ボードの全体斜視図である。
【符号の説明】
１  垂木
２  野地板
３，４  ヌキ材
５  唐草
６  下地木材
７  ルーフィング
８  屋根材
８Ａ  起立部
９  ケラバ包み
１３  断熱ボード
１３Ａ  上部端面
１３Ｂ  下部端面
１４  断熱ボード本体
１５  シート
１５Ａ  連結シート部
１６  連通孔
１６Ａ  上部開口部
１６Ｂ  下部開口部
１７  凹条溝
１８Ａ  上部合じゃくり部
１８Ｂ  下部合じゃくり部
【図１】
0003713473.tif 000002
【図２】
0003713473.tif 000003
【図３】
0003713473.tif 000004
【図４】
0003713473.tif 000005
【図５】
0003713473.tif 000006
【図６】
0003713473.tif 000007